(57)【特許請求の範囲】
【請求項１】
番組コンテンツ及び番組コンテンツに関する番組情報が多重化されたデジタル放送データを受信する受信手段と、
前記受信手段により受信されたデジタル放送データに含まれる番組コンテンツを記録する第１記録手段と、
前記受信手段により受信されたデジタル放送データから抽出された、前記第１記録手段により記録された番組コンテンツに関する番組情報を、表示部に表示させる表示手段と、
前記表示手段により前記表示部に表示された番組情報から、文字データをユーザに選択させる選択手段と、
前記選択手段により選択された前記文字データを含むタイトル情報を作成する作成手段と、
前記選択手段により選択された文字データの属性を判別する判別手段と、
前記判別手段により判別された文字データの属性に関する属性情報を記憶する記憶手段と、
前記記憶手段により記憶された文字データの属性情報に基づいて、ユーザが選択する文字データの属性をユーザ選択属性として特定する特定手段と、
前記特定手段により特定された前記ユーザ選択属性に基づいて、番組情報から当該ユーザ選択属性に合致する文字データを抽出して、抽出した文字データを含む第２タイトル情報を作成する第２作成手段と、
前記作成手段により作成された前記タイトル情報を、前記第１記録手段により記録された番組コンテンツと対応づけて記録する第２記録手段と、
を備え、
前記第２記録手段は、前記作成手段により前記タイトル情報が作成されない場合に、前記第２作成手段により作成された前記第２タイトル情報を、前記第１記録手段により記録された番組コンテンツと対応づけて記録することを特徴とする記録装置。
【請求項２】
前記記憶手段は、前記属性情報として、前記選択手段により選択された選択回数を、前記判別手段により判別された文字データの属性毎にカウントして記憶し、
前記特定手段は、前記属性情報としての選択回数が所定の回数以上である文字データの属性を、ユーザ選択属性として特定することを特徴とする請求項１に記載の記録装置。
【請求項３】
番組コンテンツ及び番組コンテンツに関する番組情報が多重化されたデジタル放送データを受信する受信手段と、
前記受信手段により受信されたデジタル放送データに含まれる番組コンテンツを記録する第１記録手段と、
前記受信手段により受信されたデジタル放送データから抽出された、前記第１記録手段により記録された番組コンテンツに関する番組情報を、表示部に表示させる表示手段と、
前記表示手段により前記表示部に表示された番組情報から、文字データをユーザに選択させる選択手段と、
前記選択手段により選択された文字データを含む第１タイトル情報を作成する第１作成手段と、
前記選択手段により選択された前記文字データの属性を判別する判別手段と、
前記判別手段により判別された文字データの属性に関する属性情報を記憶する記憶手段と、
前記記憶手段により記憶された文字データの属性情報に基づいて、ユーザが選択する文字データの属性をユーザ選択属性として特定する特定手段と、
前記特定手段により特定された前記ユーザ選択属性に基づいて、番組情報から当該ユーザ選択属性に合致する文字データを抽出して、抽出した文字データを含む第２タイトル情報を作成する第２作成手段と、
前記第１作成手段により作成された前記第１タイトル情報又は前記第２作成手段により作成された前記第２タイトル情報を、前記第１記録手段により記録された番組コンテンツと対応づけて記録する第２記録手段と、
を備え、
前記第２記録手段は、前記第１作成手段により前記第１タイトル情報が作成されない場合に、前記第２作成手段により作成された前記第２タイトル情報を、前記第１記録手段により記録された番組コンテンツと対応づけて記録し、
前記記憶手段は、前記属性情報として、前記選択手段により選択された選択回数を、前記判別手段により判別された文字データの属性毎にカウントして記憶し、
前記特定手段は、前記属性情報としての選択回数が所定の回数以上である文字データの属性を、ユーザ選択属性として特定することを特徴とする記録装置。
【発明の詳細な説明】
【技術分野】
【０００１】
本発明は、番組コンテンツ及び番組コンテンツに関する番組情報を含むデジタル放送データの記録を行う記録装置に関する。
【背景技術】
【０００２】
従来、番組コンテンツを録画すると、録画した番組に応じたタイトル合成画像が自動的に作成される録画再生装置が知られている（特許文献１参照）。このタイトル合成画像には、録画番組の最初の映像、番組名、出演者、録画日時等が含まれており、ユーザはタイトル合成画像を見ることで、番組を再生せずとも、番組内容を容易に判別することができる。
【０００３】
しかしながら、個々のユーザが必要とする情報は様々であり、上記特許文献１において自動的に作成されるタイトル合成画像が、必ずしも、個々のユーザが望む情報を含むものであるとは限らなかった。例えば、自動的に作成されるタイトル合成画像に、ユーザが必要とする情報が含まれていなかったり、逆に、不必要な情報が含まれていたりする場合がある。
【０００４】
そこで、例えば、特許文献２には、ユーザが画面上で、記録装置に記録されたイベントを示すイベント情報を編集することができる情報編集方法が開示されている。
【特許文献１】特開２００２−２０９１７８号公報
【特許文献２】特開平１１−２０３８２９号公報
【発明の開示】
【発明が解決しようとする課題】
【０００５】
しかしながら、上記特許文献２では、一文字ずつ文字を入力することにより編集を行うため、手間がかかるという問題があった。また、ユーザは、予め必要な情報を把握していないことも多いため、上記特許文献２では、編集に際して、番組情報を参照するための作業が別途必要となって不便である。
【０００６】
本発明の課題は、ユーザが望むタイトル情報を、手間をかけることなく容易に作成することができる記録装置を提供することである。
【課題を解決するための手段】
【０００７】
上記課題を解決するため、請求項１に記載の発明は、記録装置において、番組コンテンツ及び番組コンテンツに関する番組情報が多重化されたデジタル放送データを受信する受信手段と、
前記受信手段により受信されたデジタル放送データに含まれる番組コンテンツを記録する第１記録手段と、
前記受信手段により受信されたデジタル放送データから抽出された、前記第１記録手段により記録された番組コンテンツに関する番組情報を、表示部に表示させる表示手段と、
前記表示手段により前記表示部に表示された番組情報から、文字データをユーザに選択させる選択手段と、
前記選択手段により選択された前記文字データを含むタイトル情報を作成する作成手段と、
前記選択手段により選択された文字データの属性を判別する判別手段と、
前記判別手段により判別された文字データの属性に関する属性情報を記憶する記憶手段と、
前記記憶手段により記憶された文字データの属性情報に基づいて、ユーザが選択する文字データの属性をユーザ選択属性として特定する特定手段と、
前記特定手段により特定された前記ユーザ選択属性に基づいて、番組情報から当該ユーザ選択属性に合致する文字データを抽出して、抽出した文字データを含む第２タイトル情報を作成する第２作成手段と、
前記作成手段により作成された前記タイトル情報を、前記第１記録手段により記録された番組コンテンツと対応づけて記録する第２記録手段と、
を備え、
前記第２記録手段は、前記作成手段により前記タイトル情報が作成されない場合に、前記第２作成手段により作成された前記第２タイトル情報を、前記第１記録手段により記録された番組コンテンツと対応づけて記録することを特徴とする。
【０００９】
請求項２に記載の発明は、請求項１に記載の記録装置において、前記記憶手段は、前記属性情報として、前記選択手段により選択された選択回数を、前記判別手段により判別された文字データの属性毎にカウントして記憶し、
前記特定手段は、前記属性情報としての選択回数が所定の回数以上である文字データの属性を、ユーザ選択属性として特定することを特徴とする。
【００１０】
請求項３に記載の発明は、記録装置において、番組コンテンツ及び番組コンテンツに関する番組情報が多重化されたデジタル放送データを受信する受信手段と、
前記受信手段により受信されたデジタル放送データに含まれる番組コンテンツを記録する第１記録手段と、
前記受信手段により受信されたデジタル放送データから抽出された、前記第１記録手段により記録された番組コンテンツに関する番組情報を、表示部に表示させる表示手段と、
前記表示手段により前記表示部に表示された番組情報から、文字データをユーザに選択させる選択手段と、
前記選択手段により選択された文字データを含む第１タイトル情報を作成する第１作成手段と、
前記選択手段により選択された前記文字データの属性を判別する判別手段と、
前記判別手段により判別された文字データの属性に関する属性情報を記憶する記憶手段と、
前記記憶手段により記憶された文字データの属性情報に基づいて、ユーザが選択する文字データの属性をユーザ選択属性として特定する特定手段と、
前記特定手段により特定された前記ユーザ選択属性に基づいて、番組情報から当該ユーザ選択属性に合致する文字データを抽出して、抽出した文字データを含む第２タイトル情報を作成する第２作成手段と、
前記第１作成手段により作成された前記第１タイトル情報又は前記第２作成手段により作成された前記第２タイトル情報を、前記第１記録手段により記録された番組コンテンツと対応づけて記録する第２記録手段と、
を備え、
前記第２記録手段は、前記第１作成手段により前記第１タイトル情報が作成されない場合に、前記第２作成手段により作成された前記第２タイトル情報を、前記第１記録手段により記録された番組コンテンツと対応づけて記録し、
前記記憶手段は、前記属性情報として、前記選択手段により選択された選択回数を、前記判別手段により判別された文字データの属性毎にカウントして記憶し、
前記特定手段は、前記属性情報としての選択回数が所定の回数以上である文字データの属性を、ユーザ選択属性として特定することを特徴とする。
【発明の効果】
【００１１】
本発明によれば、受信手段により、番組コンテンツ及び番組コンテンツに関する番組情報が多重化されたデジタル放送データが受信され、第１記録手段により、受信手段により受信されたデジタル放送データに含まれる番組コンテンツが記録され、表示手段により、受信手段により受信されたデジタル放送データから抽出された、第１記録手段により記録された番組コンテンツに関する番組情報が表示部に表示され、選択手段により、表示手段により表示部に表示された番組情報から、文字データがユーザに選択され、作成手段により、選択手段により選択された文字データを含むタイトル情報が作成され、判別手段により、選択手段により選択された文字データの属性が判別され、記憶手段により、判別手段により判別された文字データの属性に関する属性情報が記憶され、特定手段により、記憶手段により記憶された文字データの属性情報に基づいて、ユーザが選択する文字データの属性がユーザ選択属性として特定され、第２作成手段により、特定手段により特定されたユーザ選択属性に基づいて、番組情報から当該ユーザ選択属性に合致する文字データを抽出して、抽出した文字データを含む第２タイトル情報が作成され、第２記録手段により、作成手段により作成されたタイトル情報が、第１記録手段により記録された番組コンテンツと対応づけられて記録され、第２記録手段により、作成手段により前記タイトル情報が作成されない場合に、第２作成手段により作成された第２タイトル情報が、第１記録手段により記録された番組コンテンツと対応づけて記録される。
即ち、ユーザが、表示部に表示された番組情報の中から文字データを選択すると、選択された文字データを含むタイトル情報が作成され、番組コンテンツと対応付けられて記録されることとなる。したがって、記録装置において、表示部に表示された番組情報の中から所望の文字データを選択する操作を行うだけで、ユーザが望むタイトル情報を、手間をかけることなく容易に作成することができる。
また、ユーザが第１タイトル情報を作成しない場合であっても、過去にユーザが選択した文字データの属性に基づいて、ユーザが必要とする可能性の高い属性の文字データを含む第２タイトル情報が自動的に作成され、第１タイトル情報の代わりに番組コンテンツと対応づけられて記録されることとなる。したがって、記録装置において、番組情報の中から文字データを選択する操作を行わなくとも、ユーザが必要とする可能性の高い情報を含むより望ましいタイトル情報が、自動的に作成されることとなって、使い勝手が非常に良いものとなる。
【発明を実施するための最良の形態】
【００１２】
以下、本発明の実施形態を、図面を参照しながら詳細に説明する。
本実施形態では、記録装置として、例えば、ＤＶＤ（Digital Versatile Disc）レコーダを例に説明を行う。なお、記録再生装置は、ＤＶＤレコーダに限られることなく、ＢＤ（Blue-ray Disc）レコーダ、Ｄ−ＶＨＳレコーダ、ＨＤ（Hard Disk）レコーダ等であっても良い。
【００１３】
まず、図１を参照しながら、本実施形態のＤＶＤレコーダ１００の要部構成について説明する。
ＤＶＤレコーダ１００は、テレビジョン放送局から伝送される放送信号を受信して、受信した放送信号に含まれる番組コンテンツの記録及び再生を行う。ＤＶＤレコーダ１００には、テレビジョン受像機２００等の外部装置が接続されており、ＤＶＤ５１に記録された番組コンテンツは、このテレビジョン受像機２００に出力される。テレビジョン受像機２００には、表示手段としての表示部２００ａや音声出力部２００ｂ等が備わり、番組コンテンツに基づく映像・音声が視聴者に提供される。
【００１４】
ＤＶＤレコーダ１００は、例えば、ユーザの操作を受け付けるキー入力部１、放送局から送信された放送信号を受信して、当該放送信号のうちから所定の放送チャンネルのデジタル放送データを選局するチューナ２、チューナ２から入力されたデジタル放送データに対して所定の圧縮処理を行うエンコーダ部３、データの入出力を制御して、ＤＶＤドライブ部５に対するデータの書き込み・読み出しを行うＤＶＤ信号処理部４、ＤＶＤ５１に対してデータの記録及び再生を行うＤＶＤドライブ部５、ＤＶＤドライブ部５から出力されたデータに所定の伸張処理を行うデコーダ部６、ＯＳＤデータ等を映像信号に合成するミキシング部７、ＤＶＤレコーダ１００全体を統括制御する制御部８等を備えて構成されている。
【００１５】
キー入力部１は、例えば、機器本体を遠隔操作するリモートコントローラ等であり、各種キーの押下に基づいてリモコン信号を生成し、機器本体の制御部８に対して出力する。具体的には、キー入力部１には、電源キー１ａ、テンキー１ｂ、メニューキー１ｃ、ＥＰＧ（電子番組ガイド）表示キー１ｄ、上キー・下キー・左キー・右キーから成るカーソルキー１ｅ、決定キー１ｆ、クリアキー１ｇ、音声切替キー１ｈ、リターンキー１ｉ、チャンネルアップ／ダウンキー１ｊ、ボリュームアップ／ダウンキー１ｋ等の各種キーが備わる。
【００１６】
チューナ２は、例えば、制御部８からの制御出力に従って、図示しないアンテナにおいて受信された高周波信号の中から希望チャンネルのデジタル放送データのみを抽出し、低周波の信号に変換する。そして、抽出したデジタル放送データに所定の処理を行うことによりＴＳに変換し、必要なＴＳパケットを取り出してエンコーダ部３に出力する。
【００１７】
エンコーダ部３は、例えば、ビデオエンコーダ３１、オーディオエンコーダ３２、データエンコーダ３３、フォーマッタ３４を備える。
【００１８】
ビデオエンコーダ３１は、入力される映像データを所定の圧縮方式（例えば、ＭＰＥＧ２（Moving Picture Experts Group 2）方式）に従って圧縮する。具体的には、ビデオエンコーダ３１は、映像データに対して、ＤＣＴ（Discrete Cosine Transform）、再量子化、動き補償、可変長符号化、及び多重化等の各種処理を行うことで、情報量の圧縮を行う。そして、圧縮された映像データをパケット化し、ビデオパケットとしてフォーマッタ３４に送出する。
オーディオエンコーダ３２は、例えば、入力される音声データを所定の圧縮方式（例えば、ドルビーＡＣ３（Dolby Audio Compression 3）方式）に従って圧縮する。具体的には、オーディオエンコーダ３２は、音声データをＭＤＣＴ（Modified Discrete Cosine Transform:修正離散コサイン変換）により、一旦サンプリング期間毎に周波数成分に変換して、再量子化、ビット数割り当て等の処理を行うことで、情報量の圧縮を行う。そして、圧縮された音声データをパケット化し、オーディオパケットとしてフォーマッタ３４に送出する。
【００１９】
データエンコーダ３３は、例えば、入力されるサブピクチャデータ、第１タイトル情報、第２タイトル情報、編集前のタイトル等の各種データに対してエンコード処理を行う。また、データエンコーダ３３は、ＴＳに含まれるＳＩ（Service Information: 番組配列情報）の中から、記録した番組コンテンツに関連する番組情報を抽出してエンコードする。ＳＩは、サービスに関する情報を記述するＳＤＴ（Service Description Table）、番組（イベント）に関する情報を記述するＥＩＴ（Event Information Table）、現在の日付・時刻を記述するＴＯＴ（Time Offset Table）、放送事業者に関する情報を記述するＢＩＴ（Broadcaster Information Table）等の各種テーブルである。ＥＩＴのＥＩＴ scheduledには、現在放送中の番組及び８日以内に放送予定の番組に関する情報（例えば、タイトル、チャンネル、放送局、ジャンル、放送時刻としての放送開始時刻・放送終了時刻、出演者、番組内容等）が記述される。ＳＩに含まれるこれらの番組情報は、番組コンテンツの記録後にタイトル情報が作成される場合に、後述する第１作成プログラム８５ｅの実行により、ＤＶＤドライブ部５から読み出され、表示部２００ａのタイトル情報作成画面上に提示される。
【００２０】
フォーマッタ３４は、ビデオエンコーダ３１から入力される映像データ、オーディオエンコーダ３２から入力される音声データ、データエンコーダ３３から入力されるサブピクチャデータ、番組情報、第１タイトル情報・第２タイトル情報等に対して多重化処理を行う。さらに、多重化した番組コンテンツを、ＤＶＤドライブ部５においてＤＶＤ５１に書き込み可能なファイル形式（VOBU: Video Object Unit）に変換して、ＤＶＤ信号処理部４に供給する。
【００２１】
ＤＶＤ信号処理部４は、例えば、バッファメモリ４ａを備え、ＣＰＵ８１からの制御出力に基づいてデータの入出力経路を設定し、ＤＶＤドライブ部５に対するデータの書き込み及び読み出しを行う。
例えば、第１記録プログラム８５ｂの実行における番組コンテンツの記録処理では、エンコーダ部３から入力されたＶＯＢＵ形式の番組コンテンツに対して、誤り訂正符号化、８−１６変調等を行い、一旦バッファメモリ４ａに貯めた後に、ＣＰＵ８１からの制御出力に応じたタイミングでＤＶＤドライブ部５に出力するとともに、再生制御に必要な管理情報を含む管理情報ファイルをＤＶＤドライブ部５に出力し、番組コンテンツと対応付けてＤＶＤ５１に記録させる。また、第２記録プログラム８５ｊ（後述）の実行における第１タイトル情報又は第２タイトル情報の記録処理では、エンコーダ部３から入力されるタイトル情報ファイルをＤＶＤドライブ部５に出力し、番組コンテンツと対応づけてＤＶＤ５１に記録させる。
一方、再生処理では、ＤＶＤドライブ部５から番組コンテンツ、必要な管理情報ファイル、タイトル情報ファイル等を読み出し、波形等価、Ａ／Ｄ変換、８−１６復調、誤り訂正復号等を行い、一旦バッファメモリ４ａに貯めた後に、ＣＰＵ８１からの制御出力に応じたタイミングでデコーダ部６に出力する。
【００２２】
ＤＶＤドライブ部５は、例えば、ＤＶＤドライブ部５に対して着脱自在なＤＶＤ５１、ＤＶＤ５１に対するデータの記録及びＤＶＤ５１に記録されたデータの読み出しを行う光ピックアップ５２、装填されたＤＶＤ５１を回転させるスピンドルモータ５３、光ピックアップ５２をＤＶＤ５１の半径方向に移動させる送りモータ５４等を備えている。
ＤＶＤ５１は、例えば、書き換え可能なＤＶＤ−ＲＡＭ（Random Access Memory）である。ＤＶＤドライブ部５では、記録処理において、光ピックアップ５２によりＤＶＤ５１の反射層にレーザ光を照射して、照射光による加熱により記録層の結晶状態を変化させることにより、ＤＶＤ５１に対するデータの書き込みを行う。一方、再生処理において、光ピックアップ５２によりＤＶＤ５１の反射層にレーザ光を照射し、光電変換及び電流電圧変換によって反射光に応じた電圧信号を生成することにより、ＤＶＤ５１に記録されたデータの読み出しを行う。
ＤＶＤドライブ部５は、ＤＶＤ５１に対して番組コンテンツの記録を行うことにより第１記録手段として機能するとともに、ＤＶＤ５１に対して第１タイトル情報、第２タイトル情報の記録を行うことにより第２記録手段として機能する。
【００２３】
デコーダ部６は、例えば、分離部（Demultiplexer）６１、ビデオデコーダ６２、オーディオデコーダ６３、データデコーダ６４等を備えて構成されている。
分離部６１は、ＤＶＤドライブ部５からＤＶＤ信号処理部４を介して出力されたデータストリームを、ビデオストリーム、オーディオストリーム、サブピクチャストリーム等の複数のストリームに分離する。
ビデオデコーダ６２は、分離部６１から入力されるビデオストリームをデコードする。具体的には、ビデオデコーダ６２は、ビデオストリームに、可変長復号化、逆量子化、逆ＤＣＴ、動き補正等の各種処理を行うことでデコードする。デコードされたビデオデータは、図示しないメモリに一旦格納された後に、各コマの表示時間情報に応じた所定の再生タイミングで、ＤＶＤレコーダ１００に接続されたテレビジョン受像機２００の表示部２００ａ（表示手段）に出力される。
オーディオデコーダ６３は、分離部６１から入力されるオーディオストリームをデコードする。デコードされた音声データは、テレビジョン受像機２００の音声出力部２００ｂに出力される。
データデコーダ６４は、分離部６１から入力されたサブピクチャストリーム、番組情報、第１タイトル情報・第２タイトル情報等をデコードする。
ミキシング部７は、ビデオデコーダ６２においてデコードされたビデオストリームに対して、ＯＳＤデータ等を合成する。
【００２４】
制御部８は、ＣＰＵ（Central Processing Unit）８１、ＳＴＣ(System Time Clock)等の計時部８２、ＲＡＭ（Random Access Memory）８３等の揮発性メモリ、ＥＥＰＲＯＭ（Electrically Erasable Programmable ROM）８４、ＲＯＭ（Read Only Memory）８５等の不揮発性メモリ等を備えて構成されている。
【００２５】
ＣＰＵ８１は、ＤＶＤレコーダ１００の各部から入力された入力信号や、キー入力部１における各種釦の押下操作によって入力されたリモコン信号等に応じて、ＲＯＭ８５に格納された各種プログラムを実行するとともに、実行にかかるプログラムに基づいて各部に出力信号を出力することにより、ＤＶＤレコーダ１００の動作全般を統括制御する。
【００２６】
ＲＡＭ８３は、ＣＰＵ８１のワークエリアとして用いられ、ＣＰＵ８１によって各種プログラムが実行される際に生じる処理結果や、入力されたデータ等を一時的に記憶する。
【００２７】
ＥＥＰＲＯＭ８４は、判別プログラム８５ｆ（後述）により判別された文字データの属性に関する属性情報を記憶する属性メモリ８４１を備える。
属性メモリ８４１は、記憶プログラム８５ｇの実行において、属性情報として、選択プログラム８４ｄ（後述）の実行により選択された選択回数を、判別プログラム８５ｆの実行により判別された文字データの属性毎にカウントして記憶している。これにより、属性メモリ８４１は記憶手段の一部を構成する。当該属性メモリ８４１については、後述する記憶プログラム８５ｇの説明と併せて詳細に説明する。
【００２８】
ＲＯＭ８５は、不揮発性メモリから成るプログラム格納エリアを有しており、具体的には、受信プログラム８５ａ、第１記録プログラム８５ｂ、表示プログラム８５ｃ、選択プログラム８４ｄ、第１作成プログラム８５ｅ、判別プログラム８５ｆ、記憶プログラム８５ｇ、特定プログラム８５ｈ、第２作成プログラム８５ｉ、第２記録プログラム８５ｊ等を記憶している。
【００２９】
受信プログラム８５ａは、例えば、ＣＰＵ８１に、番組コンテンツ及び番組コンテンツに関する番組情報が多重化されたデジタル放送データを受信する機能を実現させるためのプログラムである。
具体的には、ＣＰＵ８１は、キー入力部１において、番組の録画を指示する旨の操作が行われると、チューナ２を特定周波数帯に同調させ、番組コンテンツ及び番組コンテンツに関する番組情報が多重化されたデジタル放送データとしてのＴＳを受信する。さらに、受信したＴＳから、録画対象の番組コンテンツ及び当該番組コンテンツに関連する番組情報のパケットを取得してエンコーダ部３に出力する。
ＣＰＵ８１は、かかる受信プログラム８５ａを実行することにより、チューナ２とともに受信手段として機能する。
【００３０】
第１記録プログラム８５ｂは、例えば、ＣＰＵ８１に、受信プログラム８５ａの実行により受信されたデジタル放送データに含まれる番組コンテンツを記録する機能を実現させるためのプログラムである。
具体的には、ＣＰＵ８１は、チューナ２において取得した番組コンテンツを、エンコーダ部３においてＤＶＤ５１に記録可能なファイル形式にエンコードし、ＤＶＤ信号処理部４において誤り訂正符号化、８−１６変調等を行い、ＤＶＤドライブ部５においてＤＶＤ５１に記録させる。
ＣＰＵ８１は、かかる第１記録プログラム８５ｂを実行することにより、ＤＶＤドライブ部５とともに第１記録手段として機能する。
【００３１】
表示プログラム８５ｃは、例えば、ＣＰＵ８１に、受信プログラム８５ａの実行により受信されたデジタル放送データから抽出された、第１記録プログラム８５ｂの実行により記録された番組コンテンツに関する番組情報を、表示部２００ａに表示させる機能を実現させるためのプログラムである。
ＣＰＵ８１は、かかる表示プログラム８５ｃを実行することにより、表示手段として機能する。
【００３２】
選択プログラム８４ｄは、例えば、ＣＰＵ８１に、表示プログラム８５ｃの実行により表示部２００ａに表示された番組情報から、文字データをユーザに選択させる機能を実現させるためのプログラムである。
ＣＰＵ８１は、かかる選択プログラム８４ｄを実行することにより、キー入力部１とともに選択手段として機能する。
【００３３】
第１作成プログラム８５ｅは、例えば、ＣＰＵ８１に、選択プログラム８４ｄの実行により選択された文字データを含む第１タイトル情報を作成する機能を実現させるためのプログラムである。
ＣＰＵ８１は、かかる第１作成プログラム８５ｅを実行することにより第１作成手段として機能する。
【００３４】
ここで、図３〜図７を参照しながら、上述の表示プログラム８５ｃ、選択プログラム８４ｄ、第１作成プログラム８５ｅの実行による第１タイトル情報の作成処理について具体的に説明する。
【００３５】
第１タイトル情報の作成は、例えば、ユーザが番組コンテンツの記録を指示した際に行われる。例えば、ＣＰＵ８１は、番組コンテンツ「愛は揺れ（編集前のタイトル）」の記録が指示されると、初めに、図３に例示するＯＳＤ画面を表示部２００ａに表示させる。図３のＯＳＤ画面では、タイトルを「編集しない」、「自分で編集する」、「自動的に編集する」旨をそれぞれ選択できるようになっている。
図３のＯＳＤ画面において、例えば、「編集しない」旨が選択された場合には、編集前のタイトル「愛は揺れ」がそのまま番組コンテンツのタイトル情報とされる。また「自分で編集する」旨が選択された場合には、表示プログラム８５ｃ、選択プログラム８４ｄ、第１作成プログラム８５ｅが実行され、ユーザの操作に応じたタイトル情報が作成される（以下、ユーザが作成するタイトル情報を「第１タイトル情報（タイトル情報）」という）。さらに、「自動で編集する」旨が選択された場合には、後述する第２作成プログラム８５ｉが実行され、自動的にタイトル情報が作成される（以下、自動的に作成されるタイトル情報を「第２タイトル情報」という）。
【００３６】
そして、上述のように、「自分で編集する」旨が選択された場合、ＣＰＵ８１は、受信プログラム８５ａの実行により受信された番組情報の中から、第１タイトル情報の作成対象である番組コンテンツに関連する番組情報を抽出する。そして、図４に示すように、読み出した番組情報に基づくタイトル情報作成画面を表示部２００ａに表示させ、選択された番組コンテンツに関する番組情報をユーザに提示する。
【００３７】
図４のタイトル情報作成画面には、選択された番組コンテンツの番組情報として、例えば、編集前のタイトル、放送局、チャンネル、放送日時、ジャンル、放送種別、映像アスペクト、音声方式、レイティング情報、コピー情報、契約情報、番組詳細情報（出演者、監督、番組内容等）等が番組情報表示領域に表示されている。また、番組情報表示領域には、カーソルが表示されており、キー入力部１のカーソルキー１ｅにより上下左右に自在に移動して、タイトル情報作成画面に表示されている番組情報のうちから任意の文字を指定できるようになっている。
また、タイトル情報作成画面には、番組情報表示領域の他、編集中のタイトル情報が表示されるタイトル表示領域、番組情報から選択された文字データの一覧が選択順に表示される登録文字一覧領域等が設けられている。
【００３８】
例えば、図４のタイトル情報作成画面において、編集前のタイトル「愛は揺れ」に、番組情報に含まれる任意の文字「１９９６年公開作品」を追加する場合、ユーザは、番組情報表示領域において、選択したい文字「１９９６年公開作品」の開始位置と終了位置を指定することにより、選択したい文字が含まれる範囲を指定する。具体的には、ユーザは、番組情報表示領域上のカーソルを、指定したい文字が含まれる指定範囲の開始位置に移動させ、決定キー１ｆによりその位置を確定するとともに、指定範囲の終了位置にカーソルを移動させ、決定キー１ｆによりその位置を確定する。これにより、文字データ「１９９６年公開作品」が選択される。
すると、図５に示すように、番組情報表示領域において、選択された文字「１９９６年公開作品」が、網がけ等により強調表示される。また、タイトル表示領域において、選択された文字「１９９６年公開作品」が編集前のタイトル「愛は揺れ」に追加され、「愛は揺れ  １９９６年公開作品」と表示が変更される。さらに、登録文字一覧領域において、選択された文字「１９９６年公開作品」が一番目に選択された文字データとして表示される。
【００３９】
また、選択された文字データが追加されたタイトル情報「愛は揺れ  １９９６年公開作品」に、更に、任意の文字「ａａｂｂｃｃ」を追加する場合、ユーザは、番組情報表示領域において、選択したい文字「ａａｂｂｃｃ」の開始位置と終了位置を指定することにより範囲を指定する。これにより、文字データ「ａａｂｂｃｃ」が選択される。
すると、図６に示すように、番組情報表示領域において、既に選択済みの文字「１９９６年公開作品」に加え、新たに選択された文字「ａａｂｂｃｃ」が、網がけ等により強調表示される。また、タイトル表示領域において、選択された文字「ａａｂｂｃｃ」が、「愛は揺れ  １９９６年公開作品」に追加され、「愛は揺れ  １９９６年公開作品  ａａｂｂｃｃ」と表示が変更される。さらに、登録文字一覧領域において、新しく選択された文字「ａａｂｂｃｃ」が二番目に選択された文字データとして表示される。
このように、タイトル情報作成画面における番組情報表示領域の番組情報の中から文字データが選択される度に、編集前のタイトル情報に、選択された文字データが、選択された順に追加されていくこととなる。
【００４０】
さらに、既に選択された文字データの追加順を変更する場合、ユーザは、登録文字一覧表示に表示された順番を入れ替えることにより、文字データの追加順を自由に変更することができる。具体的には、例えば、「１９９６年公開作品」と「ａａｂｂｃｃ」との追加順を入れ替える場合、ユーザは、登録文字一覧領域上のカーソルを、カーソルキー１ｅにより移動対象とする文字データの欄に移動して決定キー１ｆを押下し、当該文字データを選択する。そして、選択された文字データを、カーソルキー１ｅにより移動させる位置に移動させた後に、再び決定キー１ｆを押下する。すると、図７に示すように、登録文字一覧領域に表示された２つの文字データの順番が入れ替わるとともに、タイトル表示領域の表示が「愛は揺れ  １９９６年公開作品  ａａｂｂｃｃ」から「愛は揺れ  ａａｂｂｃｃ  １９９６年公開作品」と変更される。
そして、ユーザが決定キー１ｆを押下すると、タイトル表示領域に表示されているタイトル情報「愛は揺れ  ａａｂｂｃｃ  １９９６年公開作品」が第１タイトル情報として確定される。
【００４１】
なお、第１タイトル情報を作成するタイミングは、番組コンテンツの記録が指示されたときに限られず、番組コンテンツの記録前・記録中・記録後の何れであっても良い。例えば、番組コンテンツの記録後に第１タイトル情報の作成が指示された場合、ＣＰＵ８１は、ＤＶＤ５１に記録された番組コンテンツの一覧を表示部２００ａに表示させ、当該一覧の中から、タイトルを編集する番組コンテンツをユーザに選択させる。そして、ＤＶＤ５１や図示しないＥＰＧメモリ等に予め記憶した番組情報の中から、選択された番組コンテンツに関する番組情報を読み出し、読み出した番組情報に基づいてタイトル情報作成画面を表示部２００ａに表示させ、第１タイトル情報を作成する。
【００４２】
判別プログラム８５ｆは、例えば、ＣＰＵ８１に、選択プログラム８４ｄの実行により選択された文字データの属性を判別する機能を実現させるためのプログラムである。
具体的には、ＣＰＵ８１は、前述の選択プログラム８４ｄの実行により表示されたタイトル情報作成画面上で、番組情報の中から文字データが選択されると、選択された文字データの属性を判別する。文字データの属性とは、例えば、放送局、チャンネル、放送日時、ジャンル、放送種別、映像アスペクト、音声方式、レイティング情報、コピー情報、契約情報の他、番組詳細情報に含まれる出演者、監督、公開年、製作国等であり、番組情報等を用いて判別が行われる。また、属性毎に予め用意されたキーワードを判別に用いても良い。例えば、製作国のキーワードとして各国の国名を予め記憶しておき、番組詳細情報からこれらのキーワードに一致するものを検出することにより、製作国の判別を行う。
例えば、図４〜図７に例示した第１タイトル情報の作成処理において選択された文字データ「１９９６年公開作品」、「ａａｂｂｃｃ」の属性は、それぞれ「公開年」、「監督」と判別される。
ＣＰＵ８１は、かかる判別プログラム８５ｆを実行することにより判別手段として機能する。
【００４３】
記憶プログラム８５ｇは、例えば、ＣＰＵ８１に、判別プログラム８５ｆの実行により判別された文字データの属性に関する属性情報を記憶する機能を実現させるためのプログラムである。当該記憶プログラム８５ｇは、属性情報として、選択プログラム８４ｄの実行により選択された選択回数を、判別プログラム８５ｆの実行により判別された文字データの属性毎にカウントして記憶する。
具体的には、ＣＰＵ８１は、図８の属性メモリ８４１に示すように、番組情報から選択可能な文字データの属性（放送局、チャンネル、放送日時、ジャンル、放送種別、映像アスペクト、音声方式、レイティング情報、コピー情報、契約情報、出演者、監督、公開年、製作国等）毎に、選択された回数を記憶している。そして、選択プログラム８４ｄの実行において文字データが選択され、判別プログラム８５ｆの実行により選択された文字データの属性が判別されると、判別された属性の選択回数をインクリメントして記憶する。即ち、例えば、図８に例示する属性メモリ８４１では、属性が「公開年」である文字データが、過去に４回選択されたことが記憶されている。
ＣＰＵ８１は、かかる記憶プログラム８５ｇを実行することにより、属性メモリ８４１とともに記憶手段として機能する。
【００４４】
特定プログラム８５ｈは、例えば、ＣＰＵ８１に、記憶プログラム８５ｇの実行により記憶された文字データの属性情報に基づいて、ユーザが選択する文字データの属性をユーザ選択属性として特定する機能を実現させるためのプログラムである。当該特定プログラム８５ｈは、属性情報としての選択回数が所定の回数以上である文字データの属性を、ユーザ選択属性として特定する。
具体的には、ＣＰＵ８１は、属性メモリ８４１において記憶された各属性の選択回数が、予め定められた回数（例えば、５回）以上である場合、その属性を、過去においてユーザがより多く選択した属性（ユーザ選択属性）であると特定する。例えば、図８に例示する属性メモリ８４１では、過去に選択された選択回数が５回以上である文字データの属性「ジャンル」「出演者」「監督」「公開年」が、ユーザ選択属性であると特定されている。
ＣＰＵ８１は、かかる特定プログラム８５ｈを実行することにより特定手段として機能する。
【００４５】
第２作成プログラム８５ｉは、例えば、ＣＰＵ８１に、特定プログラム８５ｈの実行により特定されたユーザ選択属性に基づいて、番組情報からユーザ選択属性に合致する文字データを抽出して、抽出した文字データを含む第２タイトル情報を作成する機能を実現させるためのプログラムである。
当該第２作成プログラム８５ｉは、例えば、番組コンテンツの記録を指示した際に表示部２００ａに表示される図３のＯＳＤ画面において、「自動で編集する」旨が選択された場合に実行される。ＣＰＵ８１は、図３のＯＳＤ画面において「自動で編集する」旨が選択されたことを検出すると、受信プログラム８５ａの実行により受信された番組情報の中から、第２タイトル情報の作成対象である番組コンテンツに関連する番組情報を抽出する。また、属性メモリ８４１にアクセスして、ユーザ選択属性として特定された属性を読み出し、特定されたユーザ選択属性を有する文字データを番組情報の中から抽出する。
例えば、編集前のタイトル「名犬タロウ」の第２タイトル情報の作成に際して、特定されたユーザ選択属性が「ジャンル」「出演者」「監督」「公開年」である場合、ＣＰＵ８１は、番組情報からこれらのユーザ選択属性に合致する文字データを検出する。これにより、例えば、ユーザ選択属性「ジャンル」に合致する文字データ「映画」、ユーザ選択属性「出演者」に合致する文字データ「ｇｇｈｈｉｉ」、ユーザ選択属性「監督」に合致する文字データ「ｊｊｋｋｌｌ」、ユーザ選択属性「公開年」に合致する文字データ「２００１年」がそれぞれ抽出される。さらに、ＣＰＵ８１は、番組情報からユーザ選択属性に合致して抽出された文字データを編集前のタイトル「名犬タロウ」に追加することにより、第２タイトル情報「名犬タロウ  映画  ｇｇｈｈｉｉ  ｊｊｋｋｌｌ  ２００１年」を作成する。
ＣＰＵ８１は、かかる第２作成プログラム８５ｉを実行することにより第２作成手段として機能する。
【００４６】
第２記録プログラム８５ｊは、例えば、ＣＰＵ８１に、第１作成プログラム８５ｅの実行により作成された第１タイトル情報又は第２作成プログラム８５ｉの実行により作成された第２タイトル情報を、第１記録プログラム８５ｂの実行により記録された番組コンテンツと対応づけて記録する機能を実現させるためのプログラムである。当該第２記録プログラム８５ｊは、第１作成プログラム８５ｅの実行により第１タイトル情報が作成されない場合に、第２作成プログラム８５ｉの実行により作成された第２タイトル情報を、第１記録プログラム８５ｂの実行により記録された番組コンテンツと対応づけて記録する。
具体的には、ＣＰＵ８１は、第１作成プログラム８５ｅの実行により第１タイトル情報（例えば、「愛は揺れ  ａａｂｂｃｃ  １９９６年公開作品」）が作成されると、当該第１タイトル情報を、エンコーダ部３、ＤＶＤ信号処理部４を介してＤＶＤドライブ部５に供給し、ＤＶＤドライブ部５において、番組コンテンツと対応付けてＤＶＤ５１に記憶させる。また、第２作成プログラム８５ｉの実行により第２タイトル情報（例えば、「名犬タロウ  映画  ｇｇｈｈｉｉ  ｊｊｋｋｌｌ  ２００１年」）が作成されると、当該第２タイトル情報を、エンコーダ部３、ＤＶＤ信号処理部４を介してＤＶＤドライブ部５に供給し、ＤＶＤドライブ部５において、番組コンテンツと対応付けてＤＶＤ５１に記憶させる。
ＣＰＵ８１は、かかる第２記録プログラム８５ｊを実行することにより、ＤＶＤドライブ部５とともに第２記録手段として機能する。
【００４７】
これにより、例えば、図９に示すように、ＤＶＤ５１に記録された番組コンテンツの一覧において、元のタイトルにユーザ自身が選択した文字データが追加されることにより作成された第１タイトル情報と、過去に行ったユーザの選択の傾向に基づいて自動的に文字データが追加されることにより作成された第２タイトル情報とが、タイトル情報として録画日等のデータとともに提示されることとなる。即ち、ユーザの望む情報がタイトル情報に含まれているため、ユーザは、番組コンテンツを再生して内容を確認したり、番組情報を参照したりしなくても、録画した番組コンテンツを一目で容易に把握することができる。
また、図９に例示する番組コンテンツの一覧では、各タイトルの作成方法、即ち、編集されていない元のタイトルであるか（「編集無し」）、ユーザ自身が作成した第１タイトル情報であるのか（「自分で編集」）、或いは、自動的に作成された第２タイトル情報であるのか（「自動編集」）が示されており、作成方法の欄を選択することにより、タイトルを再び編集したり、元のタイトルに戻したりすることができるようになっている。
【００４８】
次に、図１０及び図１１のフローチャートを参照しながら、ユーザの選択に基づいて行われる第１タイトル情報の作成処理と、過去におけるユーザの選択の傾向に基づいて自動的に行われる第２タイトル情報の作成処理とについて説明する。
【００４９】
まず、図１０のステップＳ１において、ＣＰＵ８１は、第１タイトル情報の作成が指示されたか否かを判断する。ＣＰＵ８１は、ステップＳ１において、第１タイトル情報の作成が指示されたと判断すると（ステップＳ１；Ｙｅｓ）、ステップＳ２に進み、第１タイトル情報の作成が指示されないと判断すると（ステップＳ１；Ｎｏ）、ステップＳ１０に進む。
【００５０】
ステップＳ２において、ＣＰＵ８１は、第１タイトル情報の作成対象である番組コンテンツの番組情報を取得する。そして、ステップＳ３において、取得した番組情報に基づくタイトル情報作成画面を表示部２００ａに表示させる。
ステップＳ４において、ユーザは、キー入力部１を操作して、タイトル情報作成画面における番組情報の中から範囲を指定して、タイトル情報に含める文字データを選択する。ステップＳ５において、ＣＰＵ８１は、ユーザにより選択された文字データを編集前のタイトル情報に追加して、第１タイトル情報を作成する。さらに、ステップＳ６において、作成された第１タイトル情報を、番組コンテンツと対応づけてＤＶＤ５１に記録する。
【００５１】
ステップＳ７において、ＣＰＵ８１は、ステップＳ４において選択された文字データの属性を判別し、ステップＳ８において、属性メモリ８４１に記憶された文字データの属性の選択回数をインクリメントする。さらに、ステップＳ９において、属性メモリ８４１において記憶された選択回数が所定の回数以上の属性を、ユーザ選択属性と特定し、特定されたユーザ選択属性を属性メモリ８４１に記憶して、本処理を終了する。
【００５２】
次に、図１１のステップＳ１０において、ＣＰＵ８１は、第２タイトル情報の作成対象である番組コンテンツの番組情報を取得する。ステップＳ１１において、ＣＰＵ８１は、取得した番組情報の中から、特定されたユーザ選択属性に合致する文字データを抽出する。そして、ステップＳ１２において、番組情報の中から抽出された文字データを編集前のタイトル情報に追加して、第２タイトル情報を作成する。さらに、ステップＳ１３において、作成された第２タイトル情報を、番組コンテンツと対応づけてＤＶＤ５１に記録し、本処理を終了する。
【００５３】
以上に説明したように、本発明にかかる本実施形態のＤＶＤレコーダ１００によれば、受信プログラム８５ａの実行により、番組コンテンツ及び番組コンテンツに関する番組情報が多重化されたデジタル放送データが受信され、第１記録プログラム８５ｂの実行により、受信プログラム８５ａにより受信されたデジタル放送データに含まれる番組コンテンツが記録される。また、表示プログラム８５ｃの実行により、受信プログラム８５ａにより受信されたデジタル放送データから抽出された第１記録プログラム８５ｂにより記録された番組コンテンツに関する番組情報が、表示部２００ａに表示され、選択プログラム８４ｄの実行により、表示プログラム８５ｃにより表示部２００ａに表示された番組情報から、文字データがユーザに選択され、第１作成プログラム８５ｅの実行により、選択プログラム８４ｄにより選択された文字データを含む第１タイトル情報が作成される。また、判別プログラム８５ｆの実行により、選択プログラム８４ｄにより選択された文字データの属性が判別され、記憶プログラム８５ｇの実行により、属性メモリ８４１に、判別プログラム８５ｆにより判別された前記文字データの属性に関する属性情報が記憶され、特定プログラム８５ｈの実行により、記憶プログラム８５ｇにより記憶された文字データの属性情報に基づいて、ユーザが選択する文字データの属性がユーザ選択属性として特定される。また、第２作成プログラム８５ｉの実行により、特定プログラム８５ｈにより特定されたユーザ選択属性に基づいて、番組情報から当該ユーザ選択属性に合致する文字データが抽出されて、抽出された文字データを含む第２タイトル情報が作成され、第２記録プログラム８５ｊの実行により、第１作成手段により作成された第１タイトル情報又は第２作成手段により作成された第２タイトル情報が、第１記録手段により記録された番組コンテンツと対応づけられて記録される。また、第２記録プログラム８５ｊにより、第１作成プログラム８５ｅにより第１タイトル情報が作成されない場合に、第２作成プログラム８５ｉにより作成された第２タイトル情報が、第１記録手段により記録された番組コンテンツと対応づけられて記録される。また、記憶プログラム８５ｇの実行により、属性情報として、選択プログラム８４ｄにより選択された選択回数が、判別プログラム８５ｆにより判別された文字データの属性毎にカウントされて記憶され、特定プログラム８５ｈの実行により、属性情報としての選択回数が所定の回数以上である文字データの属性が、ユーザ選択属性として特定される。
即ち、ユーザが、表示部２００ａに表示された番組情報の中から文字データを選択すると、選択された文字データを含む第１タイトル情報が作成され、番組コンテンツと対応付けられて記録されることとなる。したがって、記録装置において、表示部２００ａに表示された番組情報の中から所望の文字データを選択する操作を行うだけで、ユーザが望むタイトル情報を、手間をかけることなく容易に作成することができる。
【００５４】
また、判別プログラム８５ｆの実行により、選択プログラム８４ｄにより選択された文字データの属性が判別され、記憶プログラム８５ｇの実行により、判別プログラム８５ｆにより判別された文字データの属性に関する属性情報が記憶され、特定プログラム８５ｈの実行により、記憶プログラム８５ｇの実行により属性メモリ８４１に記憶された前記文字データの属性情報に基づいて、ユーザが選択する文字データの属性がユーザ選択属性として特定され、第２作成プログラム８５ｉの実行により、特定プログラム８５ｈにより特定されたユーザ選択属性に基づいて、番組情報から当該ユーザ選択属性に合致する文字データが抽出され、抽出された文字データを含む第２タイトル情報が作成され、第２記録プログラム８５ｊの実行により、第１作成プログラム８５ｅにより第１タイトル情報が作成されない場合に、第２作成プログラム８５ｉにより作成された第２タイトル情報が、第１記録プログラム８５ｂにより記録された番組コンテンツと対応づけて記録される。
即ち、ユーザが第１タイトル情報を作成しない場合であっても、過去にユーザが選択した文字データの属性に基づいて、ユーザが必要とする可能性の高い属性の文字データを含む第２タイトル情報が自動的に作成され、第１タイトル情報の代わりに番組コンテンツと対応づけられて記録されることとなる。したがって、記録装置において、番組情報の中から文字データを選択する操作を行わなくとも、ユーザが必要とする可能性の高い情報を含むより望ましいタイトル情報が、自動的に作成されることとなって、使い勝手が非常に良いものとなる。
【００５５】
さらに、記憶プログラム８５ｇの実行により、属性情報として、選択プログラム８４ｄにより選択された選択回数が、判別プログラム８５ｆにより判別された文字データの属性毎にカウントされて記憶され、特定プログラム８５ｈの実行により、属性情報としての選択回数が所定の回数以上である文字データの属性が、ユーザ選択属性として特定される。
したがって、より確実且つ簡易な構成で、ユーザが必要とする可能性の高い属性の文字データを番組情報から抽出することができる。
【００５６】
なお、本発明の範囲は上記実施の形態に限られることなく、本発明の趣旨を逸脱しない範囲において種々の改良並びに設計の変更を行っても良い。
例えば、第１タイトル情報の作成方法は、編集前のタイトルに、選択された文字データを追加して行う方法に限られない。例えば、元のタイトルを削除して、タイトル情報作成画面で選択された文字データのみを第１タイトル情報に含めることができるように構成されていても良い。
また、例えば、上記実施形態では、特定手段により、属性情報としての選択回数が所定の回数以上である文字データの属性が、ユーザ選択属性として特定される場合について説明したが、ユーザ選択属性の特定方法はこれに限られない。例えば、全ての属性全体の選択回数に対する選択回数の割合が所定の閾値を超える属性を、ユーザ選択属性として特定しても良い。また、全ての属性全体の選択回数に対する選択回数の割合が上位所定数の属性を、ユーザ選択属性として特定しても良い。これにより、各属性の選択回数が多くなった場合であっても、ユーザ選択属性として特定される属性が増え過ぎてしまうことを防止して、より適切な属性のみをユーザ選択属性として特定することができる。
【図面の簡単な説明】
【００５７】
【図１】本実施形態におけるＤＶＤレコーダの要部構成を例示するブロック図である。
【図２】キー入力部としてのリモートコントローラの平面図である。
【図３】番組コンテンツの記録が指示された際に表示部に表示されるＯＳＤ画面を例示する図である。
【図４】第１タイトル情報の作成処理を説明するための図である。
【図５】第１タイトル情報の作成処理を説明するための図である。
【図６】第１タイトル情報の作成処理を説明するための図である。
【図７】第１タイトル情報の作成処理を説明するための図である。
【図８】文字データの属性に関する属性情報を記憶する属性メモリを例示する図である。
【図９】ＤＶＤに記録された番組コンテンツの一覧を例示する図である。
【図１０】第１タイトル情報及び第２タイトル情報の作成処理を示すフローチャートである。
【図１１】第１タイトル情報及び第２タイトル情報の作成処理を示すフローチャートである。
【符号の説明】
【００５８】
１００    ＤＶＤレコーダ（記録装置）
１        キー入力部（選択手段）
２        チューナ（受信手段）
５        ＤＶＤドライブ部（第１記録手段、第２記録手段）
８１      ＣＰＵ
８５ａ    受信プログラム（受信手段）
８３ｂ    第１記録プログラム（第１記録手段）
８５ｃ    表示プログラム（表示手段）
８５ｄ    選択プログラム（選択手段）
８５ｅ    第１作成プログラム（第１作成手段）
８５ｆ    判別プログラム（判別手段）
８５ｇ    記憶プログラム（記憶手段）
８５ｈ    特定プログラム（特定手段）
８５ｉ    第２作成プログラム（第２作成手段）
８５ｊ    第２記録プログラム（第２記録手段）
【図１】
0005018519.tif 000002
【図２】
0005018519.tif 000003
【図３】
0005018519.tif 000004
【図４】
0005018519.tif 000005
【図５】
0005018519.tif 000006
【図６】
0005018519.tif 000007
【図７】
0005018519.tif 000008
【図８】
0005018519.tif 000009
【図９】
0005018519.tif 000010
【図１０】
0005018519.tif 000011
【図１１】
0005018519.tif 000012